(57)【要約】      （修正有）【課題】Ｂ−ＣＡＳカードスロットを備えたテレビ受像機において、ケーブルテレビの暗号化されたコンテンツを復号するためのＣ−ＣＡＳカードも利用可能にするカード拡張ユニットを提供する。【解決手段】カード拡張ユニット４０は、Ｂ−ＣＡＳカード３５とＣ−ＣＡＳカード３７とをそれぞれ着脱可能な２つの着脱口６５ａ、６５ｂを有する本体部と、カード着脱口６５ａ、６５ｂとは反対側に延びてＩＣカードスロット２５に着脱可能なカード状片部５５と、を有している。カード状片部５５の例えば上面には、例えば本体部６５側から順番に、Ｃ−ＣＡＳ用カードコントローラ６３と、拡張ユニット検出穴と、表側に配置されている端子５７及び裏側に配置されている端子６１が設けられている。これらの端子５７と端子６１を介してカードと受信装置との間の信号のやり取りをする。【選択図】図４
2006253923.tif 000002
【特許請求の範囲】
【請求項１】
デジタル放送をテレビ受信装置で視聴する際に暗号化されたコンテンツを復号する第１の復号部と、該第１の復号部による復号処理を行う際に必要となるＢ−ＣＡＳカードを着脱するためのカードスロットであって、前記Ｂ−ＣＡＳカードの一面側に設けられているＩＣ端子と接続可能であり前記カードスロット内の第１面と該第１面と対向する第２面側とに設けられ前記Ｂ−ＣＡＳカードを前記カードスロット内に装着した際に前記ＩＣ端子とそれぞれ対応する位置に設けられている第１面側端子と第２面側端子と、を有するカードスロットと、前記Ｂ−ＣＡＳカードの識別を行うＢ−ＣＡＳカードコントローラと、前記第１面側端子と前記第２面側端子のいずれが前記ＩＣ端子と前記カードスロット内において接続されているかを判定する接続判定手段と、該接続判定手段による判定結果に基づいて接続されている方の端子と前記復号部とが接続されるように切り替えるスイッチと、ケーブルテレビ放送をテレビ受信装置で視聴する際に暗号化されたコンテンツを復号する第２の復号部と、を有するテレビ受信装置において用いられ前記カードスロットに着脱可能なＣ−ＣＡＳカード拡張ユニットであって、
Ｂ−ＣＡＳカード用スロットと、ケーブルテレビ放送を視聴する際に用いられるＣ−ＣＡＳカード用のＣ−ＣＡＳカードスロットと、それぞれのカードのＩＣ端子と接続可能な位置に設けられた第１及び第２のスロット用端子と、該第２のスロット用端子と前記第２の復号部との間に設けられ前記Ｃ−ＣＡＳカードの識別を行うＣ−ＣＡＳカードコントローラと、を有する本体部と、該本体部から延びて前記カードスロット内に装着可能な形態を有し、前記前記第１面側端子と前記第２面側端子のぞれぞれと接続可能な位置に設けられた第１及び第２のカード側端子とを有するカード状片部と、を備えたＣ−ＣＡＳカード拡張ユニット。
【請求項２】
前記カード状片部に設けられ、前記カードスロットに前記カード状片部が挿入されているかどうかを判定する拡張ユニット検出窓を有することを特徴とする請求項１に記載のＣ−ＣＡＳカード拡張ユニット。
【請求項３】
前記Ｂ−ＣＡＳカード用スロットと前記Ｃ−ＣＡＳカード用スロットとの少なくともいずれか一方に、前記Ｂ−ＣＡＳカード又は前記Ｃ−ＣＡＳカードの一面側に設けられているそれぞれのＩＣ端子と接続可能であり前記Ｂ−ＣＡＳカード用スロットと前記Ｃ−ＣＡＳカード用スロットの第１面と該第１面と対向する第２面側とに前記Ｂ−ＣＡＳカードを前記カードスロット内に装着した際に前記ＩＣ端子とそれぞれ対応する位置に設けられている第１面側スロット端子と第２面側スロット端子と、を有することを特徴とする請求項１又は２に記載のＣ−ＣＡＳカード拡張ユニット。
【請求項４】
さらに、前記Ｂ−ＣＡＳカード用スロットと、前記Ｃ−ＣＡＳカードスロットとに挿入されたカードＩＤに基づいて、正しいカードが挿入されたか否かを判定するカード判定部を有することを特徴とする請求項１から３までのいずれか１項に記載のＣ−ＣＡＳカード拡張ユニット。
【請求項５】
デジタル放送をテレビ受信装置で視聴する際に暗号化されたコンテンツを復号する第１の復号部と、該第１の復号部による復号処理を行う際に必要となるＢ−ＣＡＳカードを着脱するためのカードスロットであって、前記Ｂ−ＣＡＳカードの一面側に設けられているＩＣ端子と接続可能であり前記カードスロット内の第１面と該第１面と対向する第２面側とに設けられ前記Ｂ−ＣＡＳカードを前記カードスロット内に装着した際に前記ＩＣ端子とそれぞれ対応する位置に設けられている第１面側端子と第２面側端子と、を有するカードスロットと、前記Ｂ−ＣＡＳカードの識別を行うＢ−ＣＡＳカードコントローラと、前記第１面側端子と前記第２面側端子のいずれが前記ＩＣ端子と前記カードスロット内において接続されているかを判定する接続判定手段と、該接続判定手段による判定結果に基づいて接続されている方の端子と前記復号部とが接続されるように切り替えるスイッチと、ケーブルテレビ放送をテレビ受信装置で視聴する際に暗号化されたコンテンツを復号する第２の復号部と、を有するテレビ受信装置と、
前記カードスロットに着脱可能なＣ−ＣＡＳカード拡張ユニットであって、Ｂ−ＣＡＳカード用スロットと、ケーブルテレビ放送を視聴する際に用いられるＣ−ＣＡＳカード用のＣ−ＣＡＳカードスロットと、それぞれのカードのＩＣ端子と接続可能な位置に設けられた第１及び第２のスロット用端子と、該第２のスロット用端子と前記第２の復号部との間に設けられ前記Ｃ−ＣＡＳカードの識別を行うＣ−ＣＡＳカードコントローラと、を有する本体部と、該本体部から延びて前記カードスロット内に装着可能な形態を有し、前記第１面側端子と前記第２面側端子のぞれぞれと接続可能な位置に設けられた第１及び第２のカード側端子とを有するカード状片部と、を備えたＣ−ＣＡＳカード拡張ユニットと、を有することを特徴とするテレビ受信システム。
【請求項６】
ケーブルテレビ放送をテレビ受信装置で視聴する際に暗号化されたコンテンツを復号する第１の復号部と、該第１の復号部による復号処理を行う際に必要となるＣ−ＣＡＳカードを着脱するためのカードスロットであって、前記Ｃ−ＣＡＳカードの一面側に設けられているＩＣ端子と接続可能であり前記カードスロット内の第１面と該第１面と対向する第２面側とに設けられ前記Ｃ−ＣＡＳカードを前記カードスロット内に装着した際に前記ＩＣ端子とそれぞれ対応する位置に設けられている第１面側端子と第２面側端子と、を有するカードスロットと、前記Ｃ−ＣＡＳカードの識別を行うＣ−ＣＡＳカードコントローラと、前記第１面側端子と前記第２面側端子のいずれが前記ＩＣ端子と前記カードスロット内において接続されているかを判定する接続判定手段と、該接続判定手段による判定結果に基づいて接続されている方の端子と前記復号部とが接続されるように切り替えるスイッチと、デジタル放送をテレビ受信装置で視聴する際に暗号化されたコンテンツを復号する第２の復号部と、を有するテレビ受信装置において用いられ前記カードスロットに着脱可能なＢ−ＣＡＳカード拡張ユニットであって、
Ｃ−ＣＡＳカード用スロットと、デジタル放送を視聴する際に用いられるＢ−ＣＡＳカード用のＢ−ＣＡＳカードスロットと、それぞれのカードのＩＣ端子と接続可能な位置に設けられた第１及び第２のスロット用端子と、該第２のスロット用端子と前記第２の復号部との間に設けられ前記Ｂ−ＣＡＳカードの識別を行うＣ−ＣＡＳカードコントローラと、を有する本体部と、該本体部から延びて前記カードスロット内に装着可能な形態を有し、前記第１面側端子と前記第２面側端子のぞれぞれと接続可能な位置に設けられた第１及び第２のカード側端子とを有するカード状片部と、を備えたＢ−ＣＡＳカード拡張ユニット。
【発明の詳細な説明】
【技術分野】
【０００１】
本発明は、Ｂ−ＣＡＳカードスロットを備えたテレビ受像機においてケーブルテレビのコンテンツを視聴する際の技術に関する。
【背景技術】
【０００２】
近年、テレビ放送などに関してもデジタル化が進んできており、デジタル放送を受信可能なデジタル放送受信装置がテレビ受像機の主流になりつつある。デジタル放送のうち、ＢＳデジタル放送や地上デジタル放送は、一般的に契約者のみが視聴可能なようにコンテンツが暗号化されている。暗号化されたコンテンツの復号には、例えば放送事業者から契約者のみに提供されるB-CASカードを用いる必要がある。従って、デジタル放送対応のテレビ受信機には、コンテンツを復号するためにB-CASカードを挿入することができるB-CASカードスロットが設けられている。
【０００３】
一方、ケーブルテレビの場合にも、ケーブルテレビ用に放送されている番組のスクランブルを解除するために、C-CASと呼ばれるカードが使われており、ケーブルテレビ視聴用の受信機には、C-CASカードを挿入するC-CASカードスロットが設けられている。
【０００４】
ユーザは、それぞれのテレビに合わせたカードを差し込むことにより、提供されるコンテンツを視聴することができる（例えば特許文献１参照）。
【特許文献１】特開２００３−２８１２３５号公報
【発明の開示】
【発明が解決しようとする課題】
【０００５】
図１の実線内は、デジタル放送受信装置（以下、「受信装置」と称する。）の一般的な構成例を示す図である。図１に実線部で示した一般的な受信装置Ｂは、受信周波数や変調方式などが異なるため、ケーブルテレビに適用することはできない。ケーブルテレビにおいても同じ受信装置を使用するために、例えば、図１の破線部に示すように、ケーブルテレビに対応したチューナー１３７と復調部１４１とＣＰＵ１３３とメモリ１３５とを有するケーブルテレビ用拡張ユニットＣを、例えばIEEE1394インターフェイス１３１を介して受信装置ＢのIEEE1394インターフェイス１７と接続するシステムとすることが考えられる。かかる拡張ユニットを用いることにより、一般的な受信装置においてケーブルテレビ放送を受信することが可能となる。
【０００６】
ところで、ケーブルテレビで使用されているスクランブルのうちでB-CASを使用した番組は元々受信装置Ｂに設けられていたＩＣカードスロット２５にB-CASを挿入することでデスクランブルが可能だが、C-CASを使用した番組はデスクランブルできないという問題がある。すなわち、B-CASカード用のスロット２５のみを備える受信装置をケーブルテレビに接続して使用する場合は、ケーブルテレビ用の番組を視聴するためのカードスロットが１つのみであるため、カードの差し替えが必要になるという煩雑さがある。
【０００７】
また、ＩＣカードスロット２５を、２枚のカードが挿入できる２スロット方式で構成することも考えられるが、ケーブルテレビに接続しない受信装置のユーザにとってはオーバースペックとなり、コスト面で不利になるという問題もある。
【０００８】
本発明は、拡張ユニットを使用することで、簡単な構造でB-CASカードとC-CASカードの両方を利用できる装置を提供することを目的とする。
【課題を解決するための手段】
【０００９】
本発明に係る拡張ユニットは、Ｂ−ＣＡＳカードのみ使用時に、Ｂ−ＣＡＳカードは表、裏のどちら向きに挿入しても、スイッチの切り替えによりＢ−ＣＡＳカードが使用可能な構成となるのを利用して、拡張ユニットを挿入した際に、Ｂ−ＣＡＳカード、Ｃ−ＣＡＳカードを使用し、拡張ユニットを挿入することによりスイッチを切り替えて、カードスロット１はＢ−ＣＡＳ用、カードスロット２はＣ−ＣＡＳ用として使用することを特徴とする。
【００１０】
すなわち、本発明の一観点によれば、デジタル放送をテレビ受信装置で視聴する際に暗号化されたコンテンツを復号する第１の復号部と、該第１の復号部による復号処理を行う際に必要となるＢ−ＣＡＳカードを着脱するためのカードスロットであって、前記Ｂ−ＣＡＳカードの一面側に設けられているＩＣ端子と接続可能であり前記カードスロット内の第１面と該第１面と対向する第２面側とに設けられ前記Ｂ−ＣＡＳカードを前記カードスロット内に装着した際に前記ＩＣ端子とそれぞれ対応する位置に設けられている第１面側端子と第２面側端子と、を有するカードスロットと、前記Ｂ−ＣＡＳカードの識別を行うＢ−ＣＡＳカードコントローラと、前記第１面側端子と前記第２面側端子のいずれが前記ＩＣ端子と前記カードスロット内において接続されているかを判定する接続判定手段と、該接続判定手段による判定結果に基づいて接続されている方の端子と前記復号部とが接続されるように切り替えるスイッチと、ケーブルテレビ放送をテレビ受信装置で視聴する際に暗号化されたコンテンツを復号する第２の復号部と、を有するテレビ受信装置において用いられ前記カードスロットに着脱可能なＣ−ＣＡＳカード拡張ユニットであって、Ｂ−ＣＡＳカード用スロットと、ケーブルテレビ放送を視聴する際に用いられるＣ−ＣＡＳカード用のＣ−ＣＡＳカードスロットと、それぞれのカードのＩＣ端子と接続可能な位置に設けられた第１及び第２のスロット用端子と、該第２のスロット用端子と前記第２の復号部との間に設けられ前記Ｃ−ＣＡＳカードの識別を行うＣ−ＣＡＳカードコントローラと、を有する本体部と、該本体部から延びて前記カードスロット内に装着可能な形態を有し、前記第１面側端子と前記第２面側端子のぞれぞれと接続可能な位置に設けられた第１及び第２のカード側端子とを有するカード状片部と、を備えたＣ−ＣＡＳカード拡張ユニットが提供される。
【００１１】
本発明の他の観点によれば、ケーブルテレビ放送をテレビ受信装置で視聴する際に暗号化されたコンテンツを復号する第１の復号部と、該第１の復号部による復号処理を行う際に必要となるＣ−ＣＡＳカードを着脱するためのカードスロットであって、前記Ｃ−ＣＡＳカードの一面側に設けられているＩＣ端子と接続可能であり前記カードスロット内の第１面と該第１面と対向する第２面側とに設けられ前記Ｃ−ＣＡＳカードを前記カードスロット内に装着した際に前記ＩＣ端子とそれぞれ対応する位置に設けられている第１面側端子と第２面側端子と、を有するカードスロットと、前記Ｃ−ＣＡＳカードの識別を行うＣ−ＣＡＳカードコントローラと、前記第１面側端子と前記第２面側端子のいずれが前記ＩＣ端子と前記カードスロット内において接続されているかを判定する接続判定手段と、該接続判定手段による判定結果に基づいて接続されている方の端子と前記復号部とが接続されるように切り替えるスイッチと、デジタル放送をテレビ受信装置で視聴する際に暗号化されたコンテンツを復号する第２の復号部と、を有するテレビ受信装置において用いられ前記カードスロットに着脱可能なＢ−ＣＡＳカード拡張ユニットであって、Ｃ−ＣＡＳカード用スロットと、デジタル放送を視聴する際に用いられるＢ−ＣＡＳカード用のＢ−ＣＡＳカードスロットと、それぞれのカードのＩＣ端子と接続可能な位置に設けられた第１及び第２のスロット用端子と、該第２のスロット用端子と前記第２の復号部との間に設けられ前記Ｂ−ＣＡＳカードの識別を行うＣ−ＣＡＳカードコントローラと、を有する本体部と、該本体部から延びて前記カードスロット内に装着可能な形態を有し、前記第１面側端子と前記第２面側端子のぞれぞれと接続可能な位置に設けられた第１及び第２のカード側端子とを有するカード状片部と、を備えたＢ−ＣＡＳカード拡張ユニットが提供される。
【発明の効果】
【００１２】
ケーブルテレビ用の受信機でなくても拡張ユニットを使用することにより、C-CASカードを使用して、ケーブル用番組のスクランブルを解除できるようになる。
【発明を実施するための最良の形態】
【００１３】
以下、本発明の一実施の形態によるデジタル放送受信装置について図面を参照しつつ説明を行う。図１は、本発明の一実施の形態によるデジタル放送受信装置の構成例を示す機能ブロック図でもある。図１に示すように、本実施の形態によるデジタル放送受信装置Ａは、衛星アンテナ１と、放送番組を選局するチューナー３と、デジタル放送信号用の８ＰＳＫ復調部５と、デスクランブラ７と、トランスポート・ストリーム（ＴＳ）分離部１１と、ＡＶデコーダ１５と、全体を制御するＣＰＵ２１と、メモリ２３と、ＩＣカードスロット２５と、を有するデジタル放送受信装置Ｂを有する。さらに、ケーブルテレビに対応したチューナー１３７と復調部１４１と、ＣＰＵ１３３と、メモリ１３５と、を有するケーブルテレビ用拡張ユニットＣを有する。デジタル放送受信装置Ｂとケーブルテレビ用拡張ユニットＣとは、例えば高速インターフェイスであるIEEE1394インターフェイス１３１とIEEE1394インターフェイス１７と接続することにより、デジタル放送とケーブルテレビとに対応することができるようになる。尚、上記各構成要素は、例えばバスラインＢＬにより接続されている。
【００１４】
図６は、ＩＣカードスロット２５の具体的な構成例を示す図である。図６に示すように、一般的なＩＣカードスロット２５は、Ｂ−ＣＡＳカード９７を挿脱する挿脱口（スロット）９５と、Ｂ−ＣＡＳカード９７に設けられた引き出し端子部９７ａとＢ−ＣＡＳカード９７の挿入時に対応するＩＣカードスロット２５の位置に設けられた第１端子９３とを有している。これにより、Ｂ−ＣＡＳカード９７とＩＣカードスロット２５との間で信号のやり取りを行うことができる。尚、ＩＣカードスロット２５には、Ｂ−ＣＡＳカード９７を上下反転させてスロット内に挿入した場合にも信号のやり取りが可能なように、第２端子９５が設けられている。
【００１５】
本実施の形態によるカード拡張ユニットは、第１端子９３と第２端子９５とを有するという構成上の特徴を利用している。まず、デジタル放送受信装置ＡのＩＣカードスロットの構成例について説明する。図２は、本実施の形態によるカード拡張ユニット４０の構成例を示す図である。図７は、図２に示すカード拡張ユニット４０を符号Ｘ方向から見た図である。図４は、本実施の形態によるカード拡張ユニット４０とＩＣカードスロット２５との関係を示す図である。
【００１６】
これらの図に示されているように、本実施の形態によるカード拡張ユニット４０は、Ｂ−ＣＡＳカード３５とＣ−ＣＡＳカード３７とをＸ方向側からそれぞれ着脱可能な２つの着脱口６５ａ、６５ｂを有する本体部６５と、この本体部６５から、符号Ｘで示されるカード着脱口６５ａ、６５ｂの開口側とは反対側に延びＩＣカードスロット２５（図１）に着脱可能な形状を有するカード状片部５５と、を備えている。これを本体部６５のＸ側からみると、図７に示すように、Ｂ−ＣＡＳカード用の着脱口６５ａ（カードスロット１）と、Ｃ−ＣＡＳカード用の着脱口６５ｂ（カードスロット２）とが、例えば上下方向に隣接してそれぞれ１つづつ設けられている。Ｂ−ＣＡＳカード用の着脱口６５ａとＣ−ＣＡＳカード用の着脱口６５ｂとには、それぞれのカードの端子と対応する位置に端子７１ａと端子７３ａとが設けられている。尚、カードを裏返しにして差し込んだ場合でも信号のやり取りが可能なように、端子７１ａと端子７３ａと着脱口を挟んで対角線となる位置に端子７１ｂと端子７３ｂとを設けておいても良い。
【００１７】
一方、カード状片部５５の上面には、例えば本体部６５側から順番に、Ｃ−ＣＡＳ用カードコントローラ６３と、拡張ユニット検出部３１と、表側に配置されている端子５７及び裏側に配置されている端子６１が設けられている。これらの端子５７と端子６１とは、図６に示す第１端子９３と第２端子９５とに対応してカードと受信装置との間の信号のやり取りをする。要するに、本実施の形態によるカード拡張ユニット４０は、従来のＢ−ＣＡＳカードと同様の形状及び端子を有するカード状片部５５を従来のＩＣカードスロッットに着脱することで、本体部６５の２スロットを利用できるようにしている。拡張ユニット検出穴３１は、例えば、周知の光学的手段（光センサなど）又は機械的手段（押しボタンによるセンサなど）により、カード状片部５５がカードスロット２５内に挿入された状態であるか否かを判定する。
【００１８】
図３及び図４を参照しつつ、本実施の形態によるカード拡張ユニット４０についてより詳細に説明する。図３は、本実施の形態によるカード拡張ユニット４０を用いずに、カードスロット２５に単にＢ−ＣＡＳカード３５を挿入した場合の構成例を示す図である。図３に示すように、Ｂ−ＣＡＳカード３５に設けられているＩＣ端子５１の位置に対応するカードスロット２５の対応する位置に設けられているスロット表側端子２７ａとＩＣ端子５１とが接触して電気的に接続すると、ＡとＢとを切り替える切替スイッチ４３がＢ側に切り替わる。このようにして、ＩＣ端子５１とスロット表側端子２７ａとが電気的に接続され、カードコントローラ４１を介してＣＰＵ２１とＢ−ＣＡＳカード３５との間における信号のやり取りが可能となり、暗号化されたコンテンツの復号等を行うことができるようになる。
【００１９】
一方、Ｂ−ＣＡＳカード３５を裏返しにしてカードスロット２５に挿入した場合でも動作ができるように、Ｂ−ＣＡＳカード３５に設けられているＩＣ端子５１を裏面側にした場合の位置に対応するカードスロット２５の対応する位置に設けられているスロット裏側端子２７ｂとＩＣ端子５１とが接触し電気的に接続されると、スイッチ４３がＡ側に切り替わると、ＩＣ端子５１とスロット裏側端子２７ｂとが電気的に接続され、カードコントローラ４１を介してＣＰＵ２１とＢ−ＣＡＳカード３５との間で信号のやり取りが可能となり、暗号化されたコンテンツの復号等を行うことができる。
【００２０】
この構成をそのまま利用して本実施の形態によるカード拡張ユニット４０を用いることが可能である。すなわち、図４に示すように、本実施の形態によるカード拡張ユニット４０を利用して、カード状片部５５をカードスロット２５に着脱する（矢印参照）と、拡張ユニット検出穴３１により、カード状片部５５が挿入されたことが検出され、スイッチ４３はＡ側からＢ側に切り替わり、カードスロット１（６５ａ）はＢ−ＣＡＳ用として、カードスロット２（６５ｂ）はＣ−ＣＡＳ用として使用可能になる。すなわち、カードスロット１（６５ａ）にＢ−ＣＡＳカード３５を挿入すると、図３の場合と同様に、Ｂ−ＣＡＳカード３５からの信号がカード表側端子５７とスロット表側端子２７ａとを介してカードコントローラ４１を通りＣＰＵ２１に至る。従って、Ｂ−ＣＡＳカード３５とＣＰＵ２１とがカードコントローラ４１を介して信号をやり取りすることができるようになり、スクランブルデータの復号が可能となる。
【００２１】
一方、カードスロット２（６５ｂ）にＣ−ＣＡＳカード３７を挿入すると、Ｃ−ＣＡＳカード３７からの信号がＣ−ＣＡＳ用カードコントローラ６３とカード裏側端子６１とスロット裏側端子２７ｂとを介してカードコントローラ４１を通らずにＢ端子からＣＰＵ２１に至る。従って、Ｃ−ＣＡＳカード３７とＣＰＵ２１とは、Ｃ−ＣＡＳ用カードコントローラ６１を介して信号のやり取りを行うことができるようになり、ケーブルテレビ放送のスクランブルデータの復号が可能となる。
【００２２】
図５は、本実施の形態によるカードの抜き差しに伴う処理の流れを示すフローチャート図であり、主としてＣＰＵ２１の動作を示す図である。図５に示すように、まず処理を開始すると（ステップＳ１）、Ｂ−ＣＡＳカードを挿入するスロット１のカードからＢ−ＣＡＳかＣ−ＣＡＳかを判別するＩＤであるカードＩＤを読み出す。ステップＳ３により読み出しが成功するか否かを判定する。ステップＳ３において読み出しに成功しなかった場合には（ＮＯ）、カード未挿入（ステップＳ９）と判断してステップＳ５に進む。ステップＳ３において読み出しに成功した場合には（ＹＥＳ）、ステップＳ４においては、差し込まれたカードがＢ−ＣＡＳであるか否かを判断する。ステップＳ４においてＢ−ＣＡＳであると判断された場合にはステップＳ５に進み、ステップＳ５においてＣ−ＣＡＳカードを挿入するスロット２からカードＩＤを読み出す。次いで、ステップＳ６において、読み出し成功か否かを判断し、読み出しに成功しなかった場合には（ＮＯ）、ステップＳ１１においてカード未挿入と判断し終了する（エンド：ステップＳ８）。ステップＳ６において読み出しに成功した場合には（ＹＥＳ）、ステップＳ７に進み、カードがＣ−ＣＡＳかどうかを判断する。ステップＳ７において、Ｃ−ＣＡＳである場合には（ＹＥＳ）、処理を終了する（エンド：ステップＳ８）。Ｃ−ＣＡＳでなかった場合にはステップＳ１２に進み、異なるカードと判断して終了する。
【００２３】
以上に示すように、カードスロットに差し込まれたカードのカードＩＤをＣＰＵにより読み込んで、差し込まれたカードが正規のカードであるか否かによって正規のカードがカードスロット内に差し込まれているか否かを判定して、例えば異なるカードの場合にはユーザにその旨を報知するなどの方法によりカードの差し替えを促すこともできる。
【００２４】
このようにして、Ｂ−ＣＡＳカード用のスロットに拡張ユニットを挿入し、Ｂ−ＣＡＳカードとＣ−ＣＡＳカードとの両方を利用できるようにすることができる。従って、ケーブルテレビ用の受信機でない場合でも、拡張ユニットを使用することにより、Ｃ−ＣＡＳカードを使用して、ケーブル用番組のスクランブルを解除できるようになるという利便性がある。本実施の形態によれば、Ｂ−ＣＡＳカードスロットを備えたテレビ受像機において、ケーブルテレビの暗号化されたコンテンツを復号するためのＣ−ＣＡＳカードを利用することができる。Ｂ−ＣＡＳカードのみを用いるユーザは、拡張ユニットを購入したり利用したりする必要がなく、余分なコストを削減できるという利点がある。
【００２５】
尚、デジタル放送とＢ−ＣＡＳカードとの組み合わせと、ケーブルテレビとＣ−ＣＡＳカードとの組み合わせを上記実施の形態による技術と相互に入れ替えても良いことは言うまでもない。
【産業上の利用可能性】
【００２６】
本発明は、Ｂ−ＣＡＳカードスロットを備えたテレビ受像機で、Ｃ−ＣＡＳカードを必要とするケーブルテレビのコンテンツを視聴する際に利用することができる。
【図面の簡単な説明】
【００２７】
【図１】本発明の一実施の形態によるデジタル放送受信装置の構成例を示す機能ブロック図である。
【図２】本実施の形態によるカード拡張ユニットの構成例を示す図である。
【図３】本実施の形態によるカード拡張ユニットを用いずに、カードスロットにＢ−ＣＡＳカードを挿入した場合の構成例を示す図である。
【図４】本実施の形態によるカード拡張ユニットとＩＣカードユニットとの関係を示す図である。
【図５】本実施の形態によるカードの抜き差しに伴う処理の流れを示すフローチャート図である。
【図６】ＩＣカードスロット２５の具体的な構成を示す図である。
【図７】図２に示すカード拡張ユニット４０を符号Ｘ方向から見た図である。
【符号の説明】
【００２８】
１…衛星アンテナ、３…チューナー、２１…ＣＰＵ、２５…ＩＣカードスリット、３５…Ｂ−ＣＡＳカード、３７…Ｃ−ＣＡＳカード、４０…カード拡張ユニット、５５…カード状片部、５８…拡張ユニット検出部、６３…Ｃ−ＣＡＳ用カードコントローラ、６５…本体部、６５ａ…Ｂ−ＣＡＳカード用の着脱口（カードスロット１）、６５ｂ…Ｃ−ＣＡＳカード用の着脱口（カードスロット２）、７１ａ、７１ｂ、７３ａ、７３ｂ…端子。
【図１】
2006253923.tif 000003
【図２】
2006253923.tif 000004
【図３】
2006253923.tif 000005
【図４】
2006253923.tif 000006
【図５】
2006253923.tif 000007
【図６】
2006253923.tif 000008
【図７】
2006253923.tif 000009